(57)【要約】【課題】予熱用インバータ回路と点灯用インバータ回路とを兼用させた、小型で安価な熱陰極放電管点灯装置を提供することを目的とする。【解決手段】熱陰極放電管のフェラメントおよび管に印可する交流電源１を用いた熱陰極放電管点灯装置において、放電管ＦＬのフィラメント４、５を予熱した後、放電管ＦＬを点灯させ、放電管点灯後はフィラメントの予熱電力を引き下げるようなシーケンスを有するとともに、該フィラメントの加熱電力をカレントトランスＣＴ１、ＣＴ２を介して放電用電圧から供給することを特徴とする。【選択図】  図１
2009176591.tif 000002
【特許請求の範囲】
【請求項１】
熱陰極放電管のフェラメントおよび管に印可する交流電源を用いた熱陰極放電管点灯装置において、放電管のフィラメントを予熱した後、該放電管を放電させ、該放電管点灯後は該フィラメントの予熱電力を引き下げるようなシーケンスを有するとともに、該フィラメントの加熱電力をカレントトランスを介して放電用電圧から供給することを特徴とする熱陰極放電管点灯装置。
【請求項２】
熱陰極放電管のフェラメントおよび管に印可する交流電源を用いた熱陰極放電管点灯装置において、１次側、２次側を備えた第１、第２のカレントトランスと、放電管のフィラメントの予熱と放電管の放電を切り換えるスイッチを備え、
該交流電源と直列に該第１のカレントトランスと該スイッチと該第２のカレントトランスを接続し、該第１、第２のカレントトランスの２次側を該放電管のそれぞれのフィラメントと並列に接続し、該第２のカレントトランスの１次側と該交流電源との間に放電管の管電流を検出する管電流検出回路と、該放電管電圧を制御すると共に該スイッチを切り換えるタイマーを備えた制御回路を備えたことを特徴とする熱陰極放電管点灯装置。
【発明の詳細な説明】
【技術分野】
【０００１】
本発明は、熱陰極放電管（ＨＣＦＬ）の点灯方式に関する。
【背景技術】
【０００２】
熱陰極放電管の点灯装置は図４に示すブロック図による方法が一般的によく知られている。
【０００３】
図３に示すように、熱陰極放電管ＦＬのフィラメント及び管に印可する交流電源を用いて点灯させる熱陰極放電管点灯装置は、入力電源１１をオンオフする点灯スイッチＳＷと、熱陰極放電管ＦＬに流れる電流を検出する管電流検出回路１４と、熱陰極蛍光管ＦＬのフィラメントに予熱電流を流す予熱用インバータ回路１２と、熱陰極放電管ＦＬに作動電圧を供給する点灯用インバータ回路１３からなり、管電流検出回路１４により放電管の作動電圧を制御する制御回路４からなる。また、図４のタイミングチャートに示すように、制御回路４は予熱用インバータ１２（図４（ａ）フィラメント電流if）と点灯用インバータ１３（図４（ｂ）管電流iL）のＯＮ・ＯＦＦを予め設定されたタイマーを内蔵している。
【０００４】
しかしながら、このような熱陰極放電管点灯装置においては、フィラメントに予熱電流を流す予熱用インバータ回路１２と熱陰極放電管ＦＬに作動電圧を供給する点灯用インバータ回路１３となる２つのインバータ回路が必要であり、小型化、低コスト化が難しいという問題がある。
【０００５】
【特許文献１】特開平６−１６３１６１号公報
【発明の開示】
【発明が解決しようとする課題】
【０００６】
本発明は上記課題に関し、予熱用インバータ回路と点灯用インバータ回路とを兼用させた、小型で安価な熱陰極放電管点灯装置を提供することを目的とする。
【課題を解決するための手段】
【０００７】
上述した課題を解決するために、本発明の熱陰極放電管点灯装置は、熱陰極放電管のフェラメントおよび管に印可する交流電源を用いた熱陰極放電管点灯装置において、放電管のフィラメントを予熱した後、該放電管を放電させ、該放電管点灯後は該フィラメントの予熱電力を引き下げるようなシーケンスを有するとともに、該フィラメントの加熱電力をカレントトランスを介して放電用電圧から供給することを特徴とする。
すなわち、交流電源による熱陰極放電管点灯装置において、１次側、２次側を備えた第１、第２のカレントトランスと、放電管のフィラメントの予熱と放電管の放電を切り換えるスイッチを備え、交流電源と直列に第１のカレントトランスとスイッチと第２のカレントトランスとからなり、第１、第２のカレントトランスの２次側と放電管のそれぞれのフィラメントとを並列に接続し、第２のカレントトランスの１次側と入力電源との間に放電管の管電流を検出する管電流検出回路と該放電管電圧を制御すると共に該スイッチを切り換えるタイマーを備えた制御回路とを備えたことを特徴とする。
【発明の効果】
【０００８】
本発明の熱陰極放電管点灯装置によれば、第１、第２のカレントトランスを用いることにより、予熱用インバータ回路と点灯用インバータ回路とを兼用させた、小型で安価な熱陰極放電管点灯装置を提供することができる。
【発明を実施するための最良の形態】
【０００９】
本発明の熱陰極放電管点灯装置の一実施形態は、熱陰極放電管のフェラメントおよび管に印可する交流電源を用いた熱陰極放電管点灯装置において、放電管のフィラメントを予熱した後、該放電管を放電させ、該放電管点灯後は該フィラメントの予熱電力を引き下げるようなシーケンスを有するとともに、該フィラメント加熱電力をカレントトランスを介して放電用電圧から供給することを特徴とする。
すなわち、熱陰極放電管のフェラメントおよび管に印可する交流電源を用いた熱陰極放電管点灯装置において、１次側、２次側を備えた第１、第２のカレントトランスと、放電管のフィラメントの予熱と放電管の放電を切り換えるスイッチを備え、入力電源と直列に第１のカレントトランスとスイッチと第２のカレントトランスとからなり、第１、第２のカレントトランスの２次側と放電管のそれぞれのフィラメントとを並列に接続し、第２のカレントトランスの１次側と入力電源との間に放電管の管電流を検出する管電流検出回路と放電管電圧を制御すると共にスイッチを切り換えるタイマーを備えた制御回路を備えたことを特徴とするもので、予熱用インバータ回路と点灯用インバータ回路とを兼用させた、小型で安価な熱陰極放電管点灯装置を提供する。
【実施例】
【００１０】
以下、本発明の実施の形態における熱陰極放電管点灯装置について、添付の図１、図２を参照しつつ説明する。
【００１１】
図１は、本発明の実施例の熱陰極放電管点灯装置のブロック図である。
図１において、熱陰極放電管のフィラメント及び管に印可する交流電源１と、交流電源１をオンオフするスイッチＳ１と、第１のカレントトランスＣＴ１と、放電管の予熱と点灯を切り換える第２のスイッチＳ２と、抵抗Ｒと、第２のカレントトランスＣＴ２とが直列に接続されており、放電管の管電流を検出する管電流検出回路２と、管電流検出回路２で検出した信号により交流電源の電圧Ｖｏを制御する制御回路３を備えた回路構成である。ここで、スイッチＳ２は予めオン状態となっている。
【００１２】
ここで、第１、第２のカレントトランスＣＴ１、ＣＴ２は１次側ｐと２次側ｓを備えており、第１、第２のカレントトランスＣＴ１、ＣＴ２の２次側ｓに放電管ＦＬのそれぞれのフィラメント４、５に接続されている。そして、第１のカレントトランスＣＴ１の１次側ｐは一方を第１のスイッチＳ１に、他方を２次側ｓとフィラメント４の一方との接続点とがスイッチＳ２に接続されている。そして、第２のカレントトランスＣＴ２の１次側ｐの一方はスイッチＳ２に接続された抵抗Ｒを介してフィラメント５の一方と第２のカレントトランスＣＴ２の２次側ｓの一方の接続点に接続され、他方を管電流検出回路２に接続されている。そして管電流検出回路２と交流電源１との間に制御回路３が接続されている。図２のタイミングチャートに示すように、制御回路３は予め設定されたタイマーを備えた電圧コントローラにより第２のスイッチＳ２の切り換えおよび交流電圧Voをコントロールする制御回路である。
【００１３】
この動作について図２のタイミングチャートを参考に説明する。
図２の（ａ）は交流電圧Ｖｏを縦軸に時間ｔを横軸に示したものであり、図２（ｂ）は放電管のフィラメントに流れる電流ｉｆを縦軸に時間ｔを横軸に示したタイミングチャートである。
１）交流電源１をオンオフする第１スイッチＳ１をＯＮすると（図２（ａ）のｔｏ、図２（ｂ）のＳ１−ＯＮ）、交流電圧Ｖｏが第１カレントトランスＣＴ１および第２のカレントトランスＣＴ２の１次側ｐに電流が流れ、第１、第２のカレントトランスＣＴ１、ＣＴ２の２次側ｓに誘起した電圧によって放電管ＦＬに電流ｉｆが流れ、放電管ＦＬのフィラメントが加熱される。
２）つぎに、第１のスイッチＳ１を投入後、制御回路３に備えたタイマーにより所定の時間経過すると（図２（ａ）のｔｏからｔ１）、制御回路３の入力電源１の電圧Ｖｏコントロールによって第２のスイッチＳ２をオン状態からオフ状態に移行させる（図２（ｂ）のＳ２−ＯＦＦ）と、同時に交流電源１の電圧Ｖｏを上昇させる（図２（ａ）のｔ１）。
３）つぎに、第２のスイッチＳ２がオフ状態になると、放電管ＦＬが放電開始するが、第１、第２のカレントトランスＣＴ１、ＣＴ２の１次側ｐを通過する電流が減少するため第１、第２のカレントトランスＣＴ１、ＣＴ２の２次側ｓに誘起する電圧も減少するのでフィラメント電流ｉｆも減少する（図２（ｂ）のＳ２−ＯＦＦ以降）。
【００１４】
このように、フィラメントの予熱時は第２のスイッチＳ２を閉じた状態で第１、第２のカレントトランスＣＴ１、ＣＴ２の２次側に大きな電流を誘起させ、所定の時間フィラメントを予熱後制御回路３に設定されたタイマーにより第２のスイッチＳ２をオフにし、フィラメントに流れる電流を減少させるとともに交流電圧Ｖｏを上昇させ、管電流検出回路の検出信号により制御回路３を介して安定した放電管を点灯させる熱陰極放電管点灯装置である。なお、実施例の管電流検出回路２は検出抵抗ＲｏとダイオードＤとコンデンサＣの平滑回路を用いたが他の電流検出回路を用いてもよい。
【００１５】
上記で説明したように、本発明の熱陰極放電管点灯装置は、従来２つのインバータ電源で放電管を点灯制御していたものを、２つのカレントトランスを用いることにより、予熱用インバータ回路と点灯用インバータ回路とを兼用させ、小型で安価な熱陰極放電管点灯装置を提供することができる。このような動作をさせることにより、放電灯点灯後はフィラメントの予熱電力を引き下げるようなシーケンスを有するとともにフィラメント予熱電力をカレントトランスを介して点灯用電圧から供給する熱陰極放電灯装置である。
前記、放電灯点灯後は必ずしも交流電圧（点灯用電圧）Ｖｏを上昇させる（コントロールさせる）必要はなく、仕様によっては省略してもよい。このように、フィラメントの予熱電力を引き下げるようなシーケンスを省略した熱陰極放電灯装置としてもよい。
【図面の簡単な説明】
【００１６】
【図１】本発明の熱陰極放電管点灯装置の一実施例を示すブロック図
【図２】本発明の熱陰極放電管点灯装置のタイミングチャート
【図３】従来の熱陰極放電管点灯装置のブロック図
【図４】図３のタイミングチャート
【符号の説明】
【００１７】
１  交流電源
２  管電流検出回路
３  制御回路
Ｓ１、Ｓ２  スイッチ
ＣＴ１、ＣＴ２  カレントトランス
ＦＬ  放電管
４、５  フィラメント
【図１】
2009176591.tif 000003
【図２】
2009176591.tif 000004
【図３】
2009176591.tif 000005
【図４】
2009176591.tif 000006